(57)【要約】【課題】狭い場所でも実施することのできる木造建築物の部分的な沈下を補正する方法を提供する。【解決手段】木造建築物の木造土台８４を基礎８３と分けて持ち上げることにより、木造建築物の部分的な沈下を補正し、持ち上げられた木造土台と基礎との間には充填材９３を充填する。【選択図】        図１４
2004332496.tif 000002
【特許請求の範囲】
【請求項１】
下記の工程からなる、地中に埋め込まれ、地表面に対して平行に縦横方向に延びた裾部と、その裾部から垂直に立ち上がり、地表面から突き出た立ち上がり部とからなる基礎、および基礎の立ち上がり部の上に設置された木造土台を有する木造建築物の部分的な沈下を補正する方法：
（１）木造建築物の基礎が沈下している領域を特定し、その沈下量を測定する工程；
（２）沈下領域の基礎立ち上がり部の内側側面に地表面に沿って、平行に複数個の穴を開け、その穴の各々に棒鋼の先端を差し込み、次いで棒鋼の差し込み位置を超える高さまで水硬性セメント材料を流し込み、これを硬化させることにより、基礎と一体化された補強コンクリート層を形成する工程；
（３）沈下領域の基礎から木造土台を持ち上げて、木造土台と基礎との間に下記ジャッキホルダの差し込み片の挿入が可能な隙間を形成する工程；
（４）木造土台と基礎との隙間に、底板部材と底板部材から上方に延びた支柱部材とからなるジャッキ設置台、支柱部材に沿って上下に移動可能なスライド部材とスライド部材の上部から底板部材に対して平行に延びた天板部材とからなる昇降体、および昇降体に固定され、先端が底板部材の縁部を超える位置まで平行に延びた差し込み片から構成されたジャッキホルダの差し込み片を挿入し、かつジャッキホルダの底板部材を補強コンクリート層の上に配置する工程；
（５）ジャッキホルダの底板部材と天板部材との間にジャッキを設置し、ジャッキにより天板部材を押し上げて、木造土台を基礎の沈下量に相当する高さまで持ち上げる工程；
（６）持ち上げられた木造土台と基礎との間に楔を入れて、木造土台を仮固定した後、ジャッキホルダを取り外し、木造土台と基礎との間に硬化性充填材を充填し、その充填材を硬化させる工程。
【請求項２】
（６）の工程にて、硬化性充填材が硬化した後、楔を抜き取り、その楔の抜き取り部分に、さらに硬化性充填材を充填し、その充填材を硬化させる工程を含む請求項１に記載の木造建築物の部分的な沈下を補正する方法。
【請求項３】
下記の工程からなる、地中に埋め込まれ、地表面に対して平行かつ直線的に縦横方向に延びた裾部と、その裾部から垂直に立ち上がり、地表から突き出た立ち上がり部とからなる基礎、および基礎の立ち上がり部の上に設置された木造土台を有する木造建築物の部分的な沈下を補正する方法：
（１）木造建築物の基礎が沈下している領域を特定し、その沈下量を測定する工程；
（２）沈下領域の基礎立ち上がり部の内側側面に地表面に沿って、平行に複数個の穴を開け、その穴の各々に棒鋼の先端を差し込み、次いで棒鋼の差し込み位置を超える高さまで水硬性セメント材料を流し込み、これを硬化させることにより、基礎と一体化された補強コンクリート層を形成する工程；
（３）沈下領域の基礎から木造土台を持ち上げて、木造土台と基礎との間に下記の複数のジャッキホルダの差し込み片の挿入可能な隙間を形成する工程；
（４）沈下領域のうち基礎が直線的に延びている部分の木造土台と基礎との隙間に、底板部材と底板部材から上方に延びた支柱部材とからなるジャッキ設置台、支柱部材に沿って上下に移動可能なスライド部材とスライド部材の上部から底板部材に対して平行に延びた天板部材とからなる昇降体、および昇降体に固定され、先端が底板部材の縁部を超える位置まで平行に延びた差し込み片から構成されたジャッキホルダの差し込み片を挿入し、かつジャッキホルダの底板部材を補強コンクリート層の上に配置する工程；
（５）上記工程（４）と同時に、沈下領域のうち縦方向に延びた基礎と横方向に延びた基礎とが交差する部分の木造土台と基礎との隙間に、二つの縁部に挟まれた隅部を有する底板部材と底板部材から上方に延びた支柱部材とからなるジャッキ設置台、支柱部材に沿って上下に移動可能なスライド部材とスライド部材からジャッキ設置台の底板部材に対して平行に延びた天板部材とからなる昇降体、および昇降体に固定され、先端が底板部材の角部を挟む縁部のそれぞれを超える位置まで延びた差し込み片から構成されたジャッキホルダの差し込み片を挿入し、ジャッキホルダの底板部を補強コンクリート層の上に配置する工程；
（６）各ジャッキホルダの底板部と天板部との間にジャッキを設置し、ジャッキにより天板部を押し上げて、木造土台を基礎の沈下量に相当する高さまで持ち上げる工程；
（７）持ち上げられた木造土台と基礎との間に楔を入れて、木造土台を仮固定した後、ジャッキホルダを取り外し、基礎と木造土台との間に硬化性充填材を充填し、その充填材を硬化する工程。
【請求項４】
（７）の工程にて、硬化性充填材が硬化した後、楔を抜き取り、その楔の抜き取り部分に、さらに硬化性充填材を充填し、その充填材を硬化させる工程を含む請求項３に記載の木造建築物の部分的な沈下を補正する方法。
【請求項５】
下記の工程からなる、表面が平坦な基礎スラグと、基礎スラグから垂直に立ち上がり、基礎スラグ表面に対して縦横方向に延びたつなぎ梁とからなる基礎、および基礎のつなぎ梁の上に設置された木造土台を有する木造建築物の部分的な沈下を補正する方法：
（１）木造建築物の基礎が沈下している領域を特定し、その沈下量を測定する工程；
（２）沈下領域の基礎から木造土台を持ち上げて、木造土台と基礎との間に下記ジャッキホルダの差し込み片の挿入が可能な隙間を形成する工程；
（３）木造土台と基礎との隙間に、底板部材と底板部材から上方に延びた支柱部材とからなるジャッキ設置台、支柱部材に沿って上下に移動可能なスライド部材とスライド部材の上部から底板部材に対して平行に延びた天板部材とからなる昇降体、および昇降体に固定され、先端が底板部材の縁部を超える位置まで平行に延びた差し込み片から構成されたジャッキホルダの差し込み片を挿入し、かつジャッキホルダの底板部材を基礎の基礎スラグの上に配置する工程；
（４）ジャッキホルダの底板部材と天板部材との隙間にジャッキを設置し、ジャッキにより天板部を押し上げて、木造土台を基礎の沈下量だけ持ち上げる工程；
（５）持ち上げられた木造土台と基礎との間に楔を入れて、木造土台を仮固定した後、ジャッキホルダを取り外し、基礎と木造土台との間に硬化性充填材を充填し、その充填材を硬化させる工程。
【請求項６】
（５）の工程にて、硬化性充填材が硬化した後、楔を抜き取り、その楔の抜き取り部分に、さらに硬化性充填材を充填し、その充填材を硬化させる工程を含む請求項５に記載の木造建築物の部分的な沈下を補正する方法。
【請求項７】
下記の工程からなる、表面が平坦な基礎スラグと、基礎スラグから垂直に立ち上がり、基礎スラグ表面に対して直線的かつ縦横方向に延びたつなぎ梁とからなる基礎、および基礎のつなぎ梁の上に設置された木造土台を有する木造建築物の部分的な沈降を補正する方法：
（１）木造建築物の基礎が沈下している部分を特定し、その沈下量を測定する工程；
（２）沈下領域の基礎から木造土台を持ち上げて、木造土台と基礎との間に下記の複数のジャッキホルダの差し込み片の挿入可能な隙間を形成する工程；
（３）沈下領域のうちつなぎ梁の直線部の木造土台と基礎との隙間に、底板部材と底板部材から上方に延びた支柱部材とからなるジャッキ設置台、支柱部材に沿って上下に移動可能なスライド部材とスライド部材の上部から底板部材に対して平行に延びた天板部材とからなる昇降体、および昇降体に固定され、先端が底板部材の縁部を超える位置まで平行に延びた差し込み片から構成されたジャッキホルダの差し込み片を挿入し、かつジャッキホルダの底板部材を基礎の基礎スラグの上に配置する工程；
（４）上記工程（３）と同時に、沈下領域のうち縦方向に延びたつなぎ梁と横方向に延びたつなぎ梁とが交差する部分の木造土台と基礎との隙間に、二つの縁部に挟まれた隅部を有する底板部材と底板部材から上方に延びた支柱部材とからなるジャッキ設置台、支柱部材に沿って上下に移動可能なスライド部材とスライド部材からジャッキ設置台の底板部材に対して平行に延びた天板部材とからなる昇降体、および昇降体に固定され、先端が底板部材の角部を挟む縁部のそれぞれを超える位置まで延びた差し込み片から構成されたジャッキホルダの差し込み片を挿入し、かつジャッキホルダの底板部を基礎の基礎スラグの上に配置する工程；
（５）各ジャッキホルダの底板部と天板部との間にジャッキを設置し、ジャッキにより天板部を押し上げて、木造土台を基礎の沈下量に相当する高さまで持ち上げる工程；
（６）持ち上げられた木造土台と基礎との間に楔を入れて、木造土台を仮固定した後、ジャッキホルダを取り外し、基礎と木造土台との間に硬化性充填材を充填し、その充填材を硬化させる工程。
【請求項８】
（６）の工程にて、硬化性充填材が硬化した後、楔を抜き取り、その楔の抜き取り部分に、さらに硬化性充填材を充填し、その充填材を硬化させる工程を含む請求項７に記載の木造建築物の部分的な沈下を補正する方法。
【請求項９】
底板部材と底板部材から上方に延びた支柱部材とからなるジャッキ設置台、支柱部材に沿って上下に移動可能なスライド部材とスライド部材の上部からから底板部材に対して平行に延びた天板部材とからなる昇降体、および昇降体に固定され、先端が底板部材の縁部を超える位置まで平行に延びた差し込み片から構成された木造建築物の沈下補正用ジャッキホルダ。
【請求項１０】
二つの縁部に挟まれた内角が直角の隅部を有する底板部材と底板部材から上方に延びた支柱部材とからなるジャッキ設置台、支柱部材に沿って上下に移動可能なスライド部材とスライド部材からジャッキ設置台の底板部材に対して平行に延びた天板部材とからなる昇降体、および昇降体に固定され、先端が底板部材の隅部を挟む縁部のそれぞれを超える位置まで平行に延びた差し込み片から構成された木造建築物の沈下補正用ジャッキホルダ。
【請求項１１】
底板部材と底板部材から上方に延びた支柱部材とからなるジャッキ設置台、支柱部材に沿って上下に移動可能なスライド部材とスライド部材の上部からから底板部材に対して平行に延びた天板部材とからなる昇降体、および昇降体に固定され、先端が底板部材の縁部を超える位置まで平行に延びた差し込み片から構成されたジャッキホルダと、二つの縁部に挟まれた内角が直角の隅部を有する底板部材と底板部材から上方に延びた支柱部材とからなるジャッキ設置台、支柱部材に沿って上下に移動可能なスライド部材とスライド部材からジャッキ設置台の底板部材に対して平行に延びた天板部材とからなる昇降体、および昇降体に固定され、先端が底板部材の隅部を挟む縁部のそれぞれを超える位置まで平行に延びた差し込み片から構成されたジャッキホルダとからなる沈下補正用ジャッキホルダ組体。
【発明の詳細な説明】
【０００１】
【発明の属する技術分野】
本発明は、木造建築物の部分的な沈下を補正する方法、およびその補正方法の実施に有用な器具に関するものである。
【０００２】
【従来の技術】
埋め立て地などの軟弱な地盤に木造建築物を建築すると、徐々に地盤が部分的に沈下して、あるいは木造建築物の基礎が部分的に地中に沈んで、木造建築物が傾いてしまうことがある。この部分的な沈下により傾いた木造建築物を元の水平な状態に補正する方法として、木造建築物の基礎を、ジャッキを用いて押し上げる方法が知られている。
【０００３】
例えば、特許文献１には、建築物の基礎底面部にジャッキを設置し得る深さの作業穴を掘削し、その作業穴にクラッシャーと砕石を交互に順次敷き入れて加圧ジャッキにより順次加圧していく事で地固めしながら、基礎底面部を水平レベルまで押し上げしていき、基礎が水平レベルとなった時点で基礎底面部と作業穴との間にサポート材を介在させて基礎を保持し、最終的に作業穴をコンクリート打設にて埋め戻す建築物の基礎揚げ修復工法が開示されている。
【０００４】
特許文献２には、建物が地表面内に沈下している側の基礎の外方でかつ基礎に近接した位置に地下支持層に達する鋼杭を打ち、鋼杭にブランケットを固定し、ブランケットに基礎を押し上げ可能とするジャッキを載置し、ジャッキにより基礎を一定の圧力でかつ緩慢に押し上げることにより、基礎の下方に土壌を移動させながら、建物を正常姿勢に復帰させる建物の傾斜修復法が開示されている。
【０００５】
【特許文献１】
特開２０００−１４４７８３号公報
【特許文献２】
特開平１０−２１１５号公報
【０００６】
【発明が解決しようとする課題】
特許文献１および２に記載の木造建築物の基礎を押し上げる方法では、建築物の周囲にジャッキを設置するための穴を掘らなければならないため、建築物が隣接しているような場所では実施が困難な場合がある。
従って、本発明の目的は、建築物が隣接しているような狭い場所でも実施することのできる木造建築物の部分的な沈下を補正する方法と、そのような木造建築物の沈下補正方法に有利に利用することができる器具を提供することにある。
【０００７】
【課題を解決するための手段】
本発明は、下記の工程からなる、地中に埋め込まれ、地表面に対して平行に縦横方向に延びた裾部と、その裾部から垂直に立ち上がり、地表面から突き出た立ち上がり部とからなる基礎、および基礎の立ち上がり部の上に設置された木造土台を有する木造建築物の部分的な沈下を補正する方法にある。
（１）木造建築物の基礎が沈下している領域を特定し、その沈下量を測定する工程；
（２）沈下領域の基礎立ち上がり部の内側側面に地表面に沿って、平行に複数個の穴を開け、その穴の各々に棒鋼の先端を差し込み、次いで棒鋼の差し込み位置を超える高さまで水硬性セメント材料を流し込み、これを硬化させることにより、基礎と一体化された補強コンクリート層を形成する工程；
（３）沈下領域の基礎から木造土台を持ち上げて、木造土台と基礎との間に下記ジャッキホルダの差し込み片の挿入が可能な隙間を形成する工程；
（４）木造土台と基礎との隙間に、底板部材と底板部材から上方に延びた支柱部材とからなるジャッキ設置台、支柱部材に沿って上下に移動可能なスライド部材とスライド部材の上部から底板部材に対して平行に延びた天板部材とからなる昇降体、および昇降体に固定され、先端が底板部材の縁部を超える位置まで平行に延びた差し込み片から構成されたジャッキホルダの差し込み片を挿入し、かつジャッキホルダの底板部材を補強コンクリート層の上に配置する工程；
（５）ジャッキホルダの底板部材と天板部材との間にジャッキを設置し、ジャッキにより天板部材を押し上げて、木造土台を基礎の沈下量に相当する高さまで持ち上げる工程；
（６）持ち上げられた木造土台と基礎との間に楔を入れて、木造土台を仮固定した後、ジャッキホルダを取り外し、木造土台と基礎との間に硬化性充填材を充填し、その充填材を硬化させる工程。
【０００８】
上記木造建築物の部分的な沈下を補正する方法において、（６）の工程にて、硬化性充填材が硬化した後、楔を抜き取り、その楔の抜き取り部分に、さらに硬化性充填材を充填し、その充填材を硬化させる工程を含むことが好ましい。
【０００９】
本発明はまた、下記の工程からなる、地中に埋め込まれ、地表面に対して平行かつ直線的に縦横方向に延びた裾部と、その裾部から垂直に立ち上がり、地表面から突き出た立ち上がり部とからなる基礎、および基礎の立ち上がり部の上に設置された木造土台を有する木造建築物の部分的な沈下を補正する方法にもある。
（１）木造建築物の基礎が沈下している領域を特定し、その沈下量を測定する工程；
（２）沈下領域の基礎立ち上がり部の内側側面に地表面に沿って、平行に複数個の穴を開け、その穴の各々に棒鋼の先端を差し込み、次いで棒鋼の差し込み位置を超える高さまで水硬性セメント材料を流し込み、これを硬化させることにより、基礎と一体化された補強コンクリート層を形成する工程；
（３）沈下領域の基礎から木造土台を持ち上げて、木造土台と基礎との間に下記の複数のジャッキホルダの差し込み片の挿入可能な隙間を形成する工程；
（４）沈下領域のうち基礎が直線的に延びている部分の木造土台と基礎との隙間に、底板部材と底板部材から上方に延びた支柱部材とからなるジャッキ設置台、支柱部材に沿って上下に移動可能なスライド部材とスライド部材の上部から底板部材に対して平行に延びた天板部材とからなる昇降体、および昇降体に固定され、先端が底板部材の縁部を超える位置まで平行に延びた差し込み片から構成されたジャッキホルダの差し込み片を挿入し、かつジャッキホルダの底板部材を補強コンクリート層の上に配置する工程；
（５）上記工程（４）と同時に、沈下領域のうち縦方向に延びた基礎と横方向に延びた基礎とが交差する部分の木造土台と基礎との隙間に、二つの縁部に挟まれた隅部を有する底板部材と底板部材から上方に延びた支柱部材とからなるジャッキ設置台、支柱部材に沿って上下に移動可能なスライド部材とスライド部材からジャッキ設置台の底板部材に対して平行に延びた天板部材とからなる昇降体、および昇降体に固定され、先端が底板部材の角部を挟む縁部のそれぞれを超える位置まで延びた差し込み片から構成された角部用ジャッキホルダの差し込み片を挿入し、ジャッキホルダの底板部を補強コンクリート層の上に配置する工程；
（６）各ジャッキホルダの底板部と天板部との間にジャッキを設置し、ジャッキにより天板部を押し上げて、木造土台を基礎の沈下量に相当する高さまで持ち上げる工程；
（７）持ち上げられた木造土台と基礎との間に楔を入れて、木造土台を仮固定した後、ジャッキホルダを取り外し、基礎と木造土台との間に硬化性充填材を充填し、その充填材を硬化する工程。
【００１０】
上記木造建築物の部分的な沈下を補正する方法において、（７）の工程にて、硬化性充填材が硬化した後、楔を抜き取り、その楔の抜き取り部分に、さらに硬化性充填材を充填し、その充填材を硬化させる工程を含むことが好ましい。
【００１１】
本発明はまた、下記の工程からなる、表面が平坦な基礎スラグと、基礎スラグから垂直に立ち上がり、基礎スラグ表面に対して縦横方向に延びたつなぎ梁とからなる基礎、および基礎のつなぎ梁の上に設置された木造土台を有する木造建築物の部分的な沈下を補正する方法にもある。
（１）木造建築物の基礎が沈下している領域を特定し、その沈下量を測定する工程；
（２）沈下領域の基礎から木造土台を持ち上げて、木造土台と基礎との間に下記ジャッキホルダの差し込み片の挿入が可能な隙間を形成する工程；
（３）木造土台と基礎との隙間に、底板部材と底板部材から上方に延びた支柱部材とからなるジャッキ設置台、支柱部材に沿って上下に移動可能なスライド部材とスライド部材の上部から底板部材に対して平行に延びた天板部材とからなる昇降体、および昇降体に固定され、先端が底板部材の縁部を超える位置まで平行に延びた差し込み片から構成されたジャッキホルダの差し込み片を挿入し、かつジャッキホルダの底板部材を基礎の基礎スラグの上に配置する工程；
（４）ジャッキホルダの底板部材と天板部材との隙間にジャッキを設置し、ジャッキにより天板部を押し上げて、木造土台を基礎の沈下量だけ持ち上げる工程；
（５）持ち上げられた木造土台と基礎との間に楔を入れて、木造土台を仮固定した後、ジャッキホルダを取り外し、基礎と木造土台との間に硬化性充填材を充填し、その充填材を硬化させる工程。
【００１２】
上記木造建築物の部分的な沈下を補正する方法において、（５）の工程にて、硬化性充填材が硬化した後、楔を抜き取り、その楔の抜き取り部分に、さらに硬化性充填材を充填し、その充填材を硬化させる工程を含むことが好ましい。
【００１３】
本発明はまた、下記の工程からなる、表面が平坦な基礎スラグと、基礎スラグの表面から垂直に立ち上がり、基礎スラグの表面に対して直線的かつ縦横方向に延びたつなぎ梁からなる基礎、および基礎のつなぎ梁の上に設置された木造土台を有する木造建築物の部分的な沈降を補正する方法にもある。
（１）木造建築物の基礎が沈下している部分を特定し、その沈下量を測定する工程；
（２）沈下領域の基礎から木造土台を持ち上げて、木造土台と基礎との間に下記の複数のジャッキホルダの差し込み片の挿入可能な隙間を形成する工程；
（３）沈下領域のうちつなぎ梁の直線部の木造土台と基礎との隙間に、底板部材と底板部材から上方に延びた支柱部材とからなるジャッキ設置台、支柱部材に沿って上下に移動可能なスライド部材とスライド部材の上部から底板部材に対して平行に延びた天板部材とからなる昇降体、および昇降体に固定され、先端が底板部材の縁部を超える位置まで平行に延びた差し込み片から構成されたジャッキホルダの差し込み片を挿入し、かつジャッキホルダの底板部材を基礎の基礎スラグの上に配置する工程；
（４）上記工程（３）と同時に、沈下領域のうち縦方向に延びたつなぎ梁と横方向に延びたつなぎ梁とが交差する部分の木造土台と基礎との隙間に、二つの縁部に挟まれた隅部を有する底板部材と底板部材から上方に延びた支柱部材とからなるジャッキ設置台、支柱部材に沿って上下に移動可能なスライド部材とスライド部材からジャッキ設置台の底板部材に対して平行に延びた天板部材とからなる昇降体、および昇降体に固定され、先端が底板部材の角部を挟む縁部のそれぞれを超える位置まで延びた差し込み片から構成された角部用ジャッキホルダの差し込み片を挿入し、かつジャッキホルダの底板部を基礎の基礎スラグの上に配置する工程；
（５）各ジャッキホルダの底板部と天板部との間にジャッキを設置し、ジャッキにより天板部を押し上げて、木造土台を基礎の沈下量に相当する高さまで持ち上げる工程；
（６）持ち上げられた木造土台と基礎との間に楔を入れて、木造土台を仮固定した後、ジャッキホルダを取り外し、基礎と木造土台との間に硬化性充填材を充填し、その充填材を硬化させる工程。
【００１４】
上記木造建築物の部分的な沈下を補正する方法において、（６）の工程にて、硬化性充填材が硬化した後、楔を抜き取り、その楔の抜き取り部分に、さらに硬化性充填材を充填し、その充填材を硬化させる工程を含むことが好ましい。
【００１５】
本発明はさらに、底板部材と底板部材から上方に延びた支柱部材とからなるジャッキ設置台、支柱部材に沿って上下に移動可能なスライド部材とスライド部材の上部からから底板部材に対して平行に延びた天板部材とからなる昇降体、および昇降体に固定され、先端が底板部材の縁部を超える位置まで平行に延びた差し込み片から構成された木造建築物の沈下補正用ジャッキホルダにもある。
【００１６】
本発明はさらに、二つの縁部に挟まれた内角が直角の隅部を有する底板部材と底板部材から上方に延びた支柱部材とからなるジャッキ設置台、支柱部材に沿って上下に移動可能なスライド部材とスライド部材からジャッキ設置台の底板部材に対して平行に延びた天板部材とからなる昇降体、および昇降体に固定され、先端が底板部材の隅部を挟む縁部のそれぞれを超える位置まで平行に延びた差し込み片から構成された木造建築物の沈下補正用ジャッキホルダ。
【００１７】
本発明はさらに、底板部材と底板部材から上方に延びた支柱部材とからなるジャッキ設置台、支柱部材に沿って上下に移動可能なスライド部材とスライド部材の上部からから底板部材に対して平行に延びた天板部材とからなる昇降体、および昇降体に固定され、先端が底板部材の縁部を超える位置まで平行に延びた差し込み片から構成されたジャッキホルダと、二つの縁部に挟まれた内角が直角の隅部を有する底板部材と底板部材から上方に延びた支柱部材とからなるジャッキ設置台、支柱部材に沿って上下に移動可能なスライド部材とスライド部材からジャッキ設置台の底板部材に対して平行に延びた天板部材とからなる昇降体、および昇降体に固定され、先端が底板部材の隅部を挟む縁部のそれぞれを超える位置まで平行に延びた差し込み片から構成されたジャッキホルダとからなる沈下補正用ジャッキホルダ組体にもある。
【００１８】
【発明の実施の形態】
木造建築物は、その基本構成として、基礎とその基礎の上に設置された木造土台とを有している。このような木造建築物が部分的な沈下により傾いた場合、前述のように従来では、木造建築物の基礎を（木造土台と一緒に）押し上げることにより、木造建築物の沈下を補正することが行われている。これに対して、本発明の木造建築物の沈下補正方法は、木造建築物の木造土台と基礎とを分け、木造土台を基礎の沈下量に相当する高さにて持ち上げることにより、木造建築物の沈下を補正する点に主な特徴がある。
【００１９】
本発明の木造建築物の沈下補正方法では、木造土台の持ち上げにジャッキを用いる。そして、そのジャッキによる木造土台の持ち上げは、次に述べるようなジャッキホルダを利用して行なう。
【００２０】
本発明において用いるジャッキホルダは、底板部材と底板部材から上方に延びた支柱部材とからなるジャッキ設置台、支柱部材に沿って上下に移動可能なスライド部材とスライド部材の上部から底板部材に対して平行に延びた天板部材とからなる昇降体、および昇降体に固定され、先端が底板部材の縁部を超える位置まで平行に延びた差し込み片から構成されているジャッキホルダ、あるいは二つの縁部に挟まれた内角が直角の隅部を有する底板部材と底板部材から上方に延びた支柱部材とからなるジャッキ設置台、支柱部材に沿って上下に移動可能なスライド部材とスライド部材からジャッキ設置台の底板部材に対して平行に延びた天板部材とからなる昇降体、および昇降体に固定され、先端が底板部材の隅部を挟む縁部のそれぞれを超える位置まで平行に延びた差し込み片から構成されているジャッキホルダであることが好ましい。ジャッキホルダの差し込み片を木造土台と基礎との間に挿入した状態で、ジャッキにより昇降体を押し上げることにより、木造土台を持ち上げることが可能となる。
【００２１】
ジャッキホルダの底板部材、支柱部材、スライド部材、天板部材、及び差し込み片の形状や配置は、木造建築物の基礎の形状に合わせて適宜設定することができる。木造建築物は、一般に、基礎が地表面に対して直線的に縦横方向に延びた形で形成されていることが多い。このような木造建築物では、基礎の直線部に対応させて、底板部材が一つの直線状の縁部を有し、差し込み片の先端が底板部材の直線状縁部を超える位置まで平行に延びたジャッキホルダ（直線部用ジャッキホルダ）を用いることが好ましい。さらに、基礎と基礎とが交差する角部に対応する、底板部材が二つの直線状の縁部に挟まれた隅部を有し、差し込み片の先端が底板部材の隅部を挟む直線状縁部のそれぞれを超える位置まで平行に延びたジャッキホルダ（角部用ジャッキホルダ）を併用することが好ましい。以下、添付図面を参照しながら、直線部用ジャッキホルダおよび角部用ジャッキホルダの実用的な構成の例について説明する。
【００２２】
図１は、直線部用ジャッキホルダの一例の斜視図である。図２は、図１のジャッキホルダを差し込み片側から見た側面図である。図３は、図２のＡ−Ａ線断面図である。図４は、図１のジャッキホルダの使用状態を示す断面図である。
【００２３】
図１において、直線部用ジャッキホルダ１０は、略正方形の底板部材１１と底板部材から上方に延びた支柱部材１２とからなるジャッキ設置台１３、支柱部材に沿って上下に移動可能なスライド部材１４とスライド部材の上部からから底板部材に対して平行に延びた天板部材１５とからなる昇降体１６、および昇降体に固定され、先端が正方形状底板部材の一つの縁部を超える位置まで平行に延びた差し込み片１７から構成されている。
【００２４】
底板部材１１には、ジャッキホルダを所定の場所に安定して固定するためのビズ止め用貫通孔１８が設けられている。底板部材１１の形状は、直線状に形成された縁部を一つ有する形状であれば、正方形状でなくてもよい。例えば、半円形状であってもよい。
【００２５】
ジャッキ設置台１３の底板部材１１と支柱部材１２、及び昇降体１６のスライド部材１４と天板部材１５とはそれぞれ溶接により固定されている。差し込み片１７は、スライド部材１４にボルト（ハイテンションボルト）１９とナット２０により、固定されている。スライド部材１４には、差し込み片固定用の貫通孔が複数箇所に設けて、差し込み片の固定場所を適宜変えられるようになっていることが好ましい。
【００２６】
支柱部材１２は、ジャッキ３０を三方向から囲むように断面がコの字状に形成されている（図３を参照）。支柱部材１２及びスライド部材１４には、それぞれ上下方向に延びた長穴２１、２２が設けられていて、昇降体１６をジャッキ３０により押し上げた状態で、ボルト２３とナット２４により仮止めできるようになっている（図４を参照）。
【００２７】
図５は、角部用ジャッキホルダの一例の斜視図である。図６は、図５のジャッキホルダを差し込み片側から見た側面図である。図７は、図６のＢ−Ｂ線断面図である。
【００２８】
角部用ジャッキホルダ５０は、略正方形状の底板部材５１と底板部材から上方に延びた支柱部材５２とからなるジャッキ設置台５３、支柱部材に沿って上下に移動可能なスライド部材５４とスライド部材からジャッキ設置台の底板部材に対して平行に延びた天板部材５５とからなる昇降体５６、および昇降体に固定され、先端が正方形状底板部材の一つの隅部を挟む縁部のそれぞれを超える位置まで平行に延びた差し込み片５７から構成されている。
【００２９】
ジャッキホルダの底板部材５１には、ジャッキホルダを所定の場所に安定して固定するためのビズ止め用貫通孔５８が設けられている。底板部材５１の形状は、二つの縁部に挟まれた隅部を一つ有する形状であれば、正方形状でなくともよい。例えば、扇状であってもよい。
【００３０】
ジャッキ設置台５３の底板部材５１と支柱部材５２、及び昇降体５６のスライド部材５４と天板部材５５とはそれぞれ溶接により固定されている。差し込み片５７は、スライド部材５４にボルト（ハイテンションボルト）５９とナット６０により、固定されている。スライド部材５４には、差し込み片固定用の貫通孔が複数箇所に設けて、差し込み片の固定場所を適宜変えられるようになっていることが好ましい。
【００３１】
支柱部材５２は、隅部を挟む縁部に沿って折り曲がった、断面がくの字状になっている（図６を参照）。支柱部材５２及びスライド部材５４には、それぞれ上下方向に延びた長穴６１、６２が形成されている。そして、昇降体５６をジャッキ３０により押し上げた状態で、ボルト６３とナット６４により仮止めできるようになっている。
【００３２】
次に、上記の直線部用ジャッキホルダと角部用ジャッキホルダを用いた、本発明の木造建築物の沈下補正方法を添付図面の図８乃至図１３を参照しながら説明する。
図８乃至図１３は、いずれも木造建築物の沈下領域を内側から見た斜視図である。木造建築物の沈下領域は、地表面８０に対して平行かつ直線的に縦横方向に延びた裾部（フーチングともいう）８１と、その裾部から垂直に延び地表から突き出た立ち上がり部８２とからなる基礎８３（一般に、布基礎と呼ばれている）、基礎の立ち上がり部８２の上に設置された木造土台８４、そして木造土台８４の上に配置された柱８５からなる。なお、木造建築物の床は、本発明の方法の実施には直接関係がないため、その記載は省略してある。
【００３３】
図８乃至図１３に示す木造建築物の基礎が沈下している部分の特定、及びその沈下量の測定は、木造建築物内の柱に水準器を設置して行なうことが好ましい。
【００３４】
まず、図８に示すように、沈下領域の基礎の立ち上がり部８２の内側側面に地表面８０に沿って、平行に複数個の穴８６を開ける。穴８６を開ける場所は、地表面８０から５〜１０ｃｍの高さにあることが好ましい。各穴８６の間隔は、２０〜５０ｃｍの範囲にあることが好ましい。穴８６は、深さが立ち上がり部８２の厚さに対して１／３〜２／３の範囲にあるか、立ち上がり部８２を貫通していることが好ましい。
【００３５】
基礎の立ち上がり部に穴を開けたら、図９に示すように、その穴の各々に棒鋼８７の先端を差し込む。穴が立ち上がり部を貫通していない場合には、棒鋼８７の先端は、その外径を穴の中で押し拡げることができる開きボルト（ケミカルアンカーボルトともいう）であることが好ましい。穴が立ち上がり部を貫通していている場合には、棒鋼８７の先端はネジボルト（普通ボルトともいう）とし、棒鋼を立ち上がり部に貫通させてナットで固定することが好ましい。
【００３６】
棒鋼８７の設置と共に、持ち上げた後の木造土台を８４を固定するための木造土台連結具８８を配置する。木造土台連結具８８は、貫通孔８９を有し、Ｌ字状に曲がった支持部材９０と溶接されている。木造土台連結具８８の配置間隔は、２０〜５０ｃｍの範囲にあることが好ましい。
【００３７】
棒鋼の差し込みと木造土台連結具８８の配置が終了したら、棒鋼の差し込む位置を超える高さまで水硬性セメント材料を流し込み、これを硬化させる。こうして、図１０に示すような、基礎８３と一体化した補強コンクリート層９１が形成される。補強コンクリート層の厚さは、１０〜２０ｃｍの範囲にあることが好ましい。
【００３８】
補強コンクリート層が形成されたら、基礎８３から木造土台８４を持ち上げて、木造土台と基礎との間に、上記の直線部用ジャッキホルダおよび角部用ジャッキホルダの差し込み片の挿入が可能な隙間を形成する。隙間の形成は、例えば、ヘラ状の剛板を木造土台８４と基礎８３との間に押し込むことにより行なうことができる。
【００３９】
木造土台と基礎との間に隙間ができたら、図１１に示すように、基礎が直線的に延びている部分の木造土台８４と基礎８３との隙間には、直線部用ジャッキホルダ１０の差し込み片１７を挿入し、沈下領域のうち縦方向に延びた基礎と横方向に延びた基礎とが交差する角部の木造土台８４と基礎８３との隙間には、前述の角部用ジャッキホルダ５０の差し込み片５７を挿入し、各ジャッキホルダの底板部材を補強コンクリート層９１の上に配置する。直線部用ジャッキホルダ１０は、柱８５が配置されている場所の下方に配置することが好ましい。次いで、ジャッキホルダのジャッキホルダの底板部材と天板部材との間にジャッキ３０を設置し、ジャッキにより天板部材を押し上げて、木造土台を基礎の沈下量に相当する高さまで持ち上げる。ジャッキ３０は、油圧ジャッキであることが好ましい。
【００４０】
木造土台を所定の高さに持ち上げたら、図１２に示すように、持ち上げられた木造土台８４と基礎８３との間に楔９２を入れて、木造土台を仮固定する。その後、ジャッキホルダを取り外し、木造土台と基礎との間に硬化性充填材を充填し、硬化させる。硬化性充填材には、水硬性セメント材料（好ましくは、急硬セメント材料）を用いることができる。
【００４１】
硬化性充填材が硬化した後、図１３に示すように、楔を抜き取って、その楔の抜き取り部分に、さらに硬化性充填材９３を充填して、硬化させる。そして、木造土台８４と木造土台連結具８８とをビス９４により固定する。
【００４２】
上記のようにして、部分的な沈下が補正された木造建築物の断面図を図１４に示す。図１４（ａ）は沈下補正前の木造建築物を、図１４（ｂ）は沈下補正後の木造建築物である。
沈下補正後の木造建築物は、沈下補正前の木造建築物と基礎の裾部８１の位置は同じであるが、木造土台８４が持ち上げられたことにより、基礎の沈下による木造建築物の床９５が水平になる。さらに、沈下補正後の木造建築物では、基礎８３と補強コンクリート層９１に木造建築物の荷重が掛かるため、補正前の木造建築物よりも基礎が地中に沈みにくくなる。
【００４３】
次に、基礎が、表面が平坦な基礎スラグと、基礎スラグから垂直に立ち上がり、基礎スラグ表面に対して縦横方向に延びたつなぎ梁とからなる基礎（一般に、べた基礎と呼ばれている）である木造建築物の沈下補正方法について説明する。ただし、基礎がべた基礎の場合は、補強コンクリート層を形成する必要がないこと、ジャッキホルダを基礎スラグの表面に固定すること以外は、基礎が布基礎である場合と特に大きな違いはないため、各工程の説明については省略する。
【００４４】
図１５は、本発明に従って部分的な沈下が補正された基礎がべた基礎の木造建築物の一例の斜視図である。
図１５において、木造建築物は、表面が平坦な基礎スラグ９６と、つなぎ梁９７とからなる基礎（べた基礎）９８、基礎の上に設置された木造土台８４、木造土台の上に配置された柱８５からなる。
木造土台８４は、木造建築物の基礎の沈下量に相当する高さで持ち上げられている。木造土台８４とべた基礎９８との間には、充填材９３が充填されている。木造土台８４とべた基礎９８とは、木造土台連結板９９とビス１００によって固定されている。
【００４５】
本発明の木造建築物の沈下補正方法は、木造建築物の内側、すなわち床下にて木造土台の持ち上げを実施する。このため、木造建築物の床下と地表面（もしくは基礎スラグ）との間には４０ｃｍ以上（特に、４０〜６０ｃｍ）のスペースがあることが好ましい。なお、床下と地表面（もしくは基礎スラグ）とのスペースが４０ｃｍ未満の場合には、床を一旦取り除くか、地表面を掘り下げる（あるいは、基礎スラグを削る）ことが必要な場合がある。
【００４６】
【発明の効果】
本発明の木造建築物の部分的な沈下を補正する方法では、従来の木造建築物の基礎を押し上げる方法では、必要であったジャッキ設置用の大きな穴を形成する必要がないので、建物が隣接するような場所でも容易に実施することができる。
【図面の簡単な説明】
【図１】本発明に従う（直線部用）ジャッキホルダの一例の斜視図である。
【図２】図１に示したジャッキホルダを差し込み片側から見た側面図である。
【図３】図２のＡ−Ａ線断面図である。
【図４】図１に示したジャッキホルダの使用状態を示す断面図である。
【図５】本発明に従う（角部用）ジャッキホルダの一例の斜視図である。
【図６】図５に示したジャッキホルダを差し込み片側から見た側面図である。
【図７】図６のＢ−Ｂ線断面図である。
【図８】本発明に従って、木造建築物の基礎立ち上がり部の内側側面に穴を形成した状態を示す斜視図である。
【図９】本発明に従って、木造建築物の基礎立ち上がり部の内側側面に穴を形成した状態を示す斜視図である。
【図１０】本発明に従って、木造建築物に補強コンクリート層を形成した状態を示す斜視図である。
【図１１】本発明に従って、木造建築物の木造土台と基礎との隙間にジャッキホルダの差し込み片を挿入した状態を示す斜視図である。
【図１２】本発明に従って、木造建築物の木造土台を持ち上げた状態で仮固定した状態を示す斜視図である。
【図１３】本発明に従って、木造建築物の持ち上げた木造土台と基礎と間に充填材を充填した状態を示す斜視図である。
【図１４】（ａ）は、基礎が部分的に沈下した木造建築物の断面図であり、（ｂ）は本発明に従って、基礎の部分的な沈下が補正された木造建築物の断面図である。
【図１５】本発明に従って部分的な沈下が補正された基礎がべた基礎の木造建築物の一例の斜視図である。
【符号の説明】
１０  （直線部用）ジャッキホルダ
１１  底板部材
１２  支柱部材
１３  ジャッキ設置台
１４  スライド部材
１５  天板部材
１６  昇降体
１７  差し込み片
１８  貫通孔
１９  差し込み片止め用ボルト
２０  差し込み片止め用ナット
２１  支柱部材長穴
２２  スライド部材長穴
２３  昇降体止め用ボルト
２４  昇降体止め用ナット
３０  ジャッキ
５０  （角部用）ジャッキホルダ
５１  底板部材
５２  支柱部材
５３  ジャッキ設置台
５４  スライド部材
５５  天板部材
５６  昇降体
５７  差し込み片
５８  貫通孔
５９  差し込み片止め用ボルト
６０  差し込み片止め用ナット
６１  支柱部材長穴
６２  スライド部材長穴
６３  昇降体止め用ボルト
６４  昇降体止め用ナット
８０  地面
８１  裾部
８２  立ち上がり部
８３  布基礎
８４  木造土台
８５  柱
８６  穴
８７  棒鋼
８８  木造土台連結具
８９  貫通孔
９０  支持部
９１  補強コンクリート層
９２  楔
９３  充填材
９４  ビス
９５  床
９６  基礎スラグ
９７  つなぎ梁
９８  べた基礎
９９  木造土台連結板
１００  ビス
【図１】
2004332496.tif 000003
【図２】
2004332496.tif 000004
【図３】
2004332496.tif 000005
【図４】
2004332496.tif 000006
【図５】
2004332496.tif 000007
【図６】
2004332496.tif 000008
【図７】
2004332496.tif 000009
【図８】
2004332496.tif 000010
【図９】
2004332496.tif 000011
【図１０】
2004332496.tif 000012
【図１１】
2004332496.tif 000013
【図１２】
2004332496.tif 000014
【図１３】
2004332496.tif 000015
【図１４】
2004332496.tif 000016
【図１５】
2004332496.tif 000017